【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
ピーク入力輝度Ｉｍａｘを有する高ダイナミックレンジ入力画像を、より低いピーク出力輝度Ｉｏｍａｘを有するより低い高ダイナミックレンジ出力画像へとトーンマッピングする方法であって、
前記入力画像の輝度成分を取得し、
ｈｄｒ−低ｈｄｒトーンマッパー曲線を決定し、
前記ｈｄｒ−低ｈｄｒトーンマッパー曲線を前記入力画像の前記輝度成分に適用することによって前記出力画像を決定する
ことを有し、
前記ｈｄｒ−低ｈｄｒトーンマッパー曲線は、原色調レベル及び中間色調レベルのための第１の線形部分と、ハイライトのための第２の非線形部分とを有し、
前記第１の線形部分は、前記入力画像の取得された輝度値の輝度ヒストグラムの明領域における前記取得された輝度値の分布の均等度の単調非増加関数である傾きｓを有し、それにより、該傾きｓは、１以下であるが、前記ピーク出力輝度Ｉｏｍａｘ及び前記ピーク入力輝度Ｉｍａｘの比ｓｌ以上である、
方法。
【請求項２】
前記輝度ヒストグラムの前記明領域は、前記入力画像の輝度範囲に位置付けられる下限ζｌから上限ζｕの間で線引きされるものとして定義され、前記下限ζｌは、前記ピーク出力輝度Ｉｏｍａｘ及び前記ピーク入力輝度Ｉｍａｘの前記比ｓｌに比例する、
請求項１に記載の方法。
【請求項３】
前記トーンマッパー曲線の前記第１の線形部分及び前記第２の非線形部分を分離するものとして定義される中高閾値τは、前記ピーク出力輝度Ｉｏｍａｘよりも小さい、
請求項１又は２に記載の方法。
【請求項４】
前記中高閾値τは、ｎが２以上であるとして、このフレーム又は画像のピクセルの（１００−ｎ）％よりも多くをカバーするほど十分に大きい、
請求項３に記載の方法。
【請求項５】
前記明領域における前記取得された輝度値の分布の前記均等度は、前記輝度ヒストグラムの前記明領域のビンにわたる前記入力画像のピクセルの数の平均μ及び標準偏差νの間の比として決定される、
請求項１乃至４のうちいずれか一項に記載の方法。
【請求項６】
前記傾きｓと前記均等度との間の関係は、非線形である、
請求項１乃至５のうちいずれか一項に記載の方法。
【請求項７】
前記傾きｓは、次の：
【数１８】
2017168101.tif 000001
のように決定され、ｔ＝（μ／ν−ρ１）／（ρ２−ρ１）であり、パラメータρ１、ρ２は、パラメータｔの関数として前記傾きｓを表す前記曲線の転移点を定義する、
請求項５に従属する請求項６に記載の方法。
【請求項８】
前記ｈｄｒ−低ｈｄｒトーンマッパー曲線を代表する情報を信号で伝える
ことを更に有する請求項１乃至７のうちいずれか一項に記載の方法。
【請求項９】
前記信号で伝えることは、ピクチャパラメータセット、シーケンスパラメータセット、付加拡張情報メッセージ、ビデオ・ユーザビリティ情報、コンシューマ・エレクトロニクス・アソシエイションメッセージ、及びヘッダのうちの少なくとも１つにおいて含まれる少なくとも１つのシンタックス要素を用いて実施される、
請求項８に記載の方法。
【請求項１０】
ピーク入力輝度Ｉｍａｘを有する高ダイナミックレンジ入力画像を、より低いピーク出力輝度Ｉｏｍａｘを有するより低い高ダイナミックレンジ出力画像へとトーンマッピングする装置であって、
請求項１乃至９のうちいずれか一項に記載の方法を実装するよう構成される少なくとも１つのプロセッサを有する装置。
【請求項１１】
請求項１０に記載の装置を有する電子機器。
【請求項１２】
携帯電話機、通信機器、ゲーム機、タブレット、ラップトップ、カメラ、符号化チップ、及びサーバを有するグループから選択される請求項１１に記載の電子機器。
【請求項１３】
コンピュータで実行される場合に、請求項１乃至９のうちいずれか一項に記載の方法のステップを実行するプログラムコード命令を有するコンピュータプログラム製品。
【手続補正２】
【補正対象書類名】明細書
【補正対象項目名】０１０５
【補正方法】変更
【補正の内容】
【０１０５】
本発明はまた、符号化及び復号化の上記方法を夫々実施するよう適応された符号化装置及び復号化装置にも関係がある。
上述の実施形態の一部又は全部は、以下の付記のように記載され得るが、以下には限定されない。
（付記１）
ピーク入力輝度Ｉｍａｘを有する高ダイナミックレンジ入力画像を、より低いピーク出力輝度Ｉｏｍａｘを有するより低い高ダイナミックレンジ出力画像へとトーンマッピングする方法であって、
前記入力画像の輝度成分を取得し、
ｈｄｒ−低ｈｄｒトーンマッパー曲線を決定し、
前記ｈｄｒ−低ｈｄｒトーンマッパー曲線を前記入力画像の前記輝度成分に適用することによって前記出力画像を決定する
ことを有し、
前記ｈｄｒ−低ｈｄｒトーンマッパー曲線は、原色調レベル及び中間色調レベルのための第１の線形部分と、ハイライトのための第２の非線形部分とを有し、
前記第１の線形部分は、前記入力画像の取得された輝度値の輝度ヒストグラムの明領域における前記取得された輝度値の分布の均等度の単調非増加関数である傾きｓを有し、それにより、該傾きｓは、１以下であるが、前記ピーク出力輝度Ｉｏｍａｘ及び前記ピーク入力輝度Ｉｍａｘの比ｓｌ以上である、
方法。
（付記２）
前記輝度ヒストグラムの前記明領域は、前記入力画像の輝度範囲に位置付けられる下限ζｌから上限ζｕの間で線引きされるものとして定義され、前記下限ζｌは、前記ピーク出力輝度Ｉｏｍａｘ及び前記ピーク入力輝度Ｉｍａｘの前記比ｓｌに比例する、
付記１に記載の方法。
（付記３）
前記トーンマッパー曲線の前記第１の線形部分及び前記第２の非線形部分を分離するものとして定義される中高閾値τは、前記ピーク出力輝度Ｉｏｍａｘよりも小さい、
付記１又は２に記載の方法。
（付記４）
前記中高閾値τは、ｎが２以上であるとして、このフレーム又は画像のピクセルの（１００−ｎ）％よりも多くをカバーするほど十分に大きい、
付記３に記載の方法。
（付記５）
前記明領域における前記取得された輝度値の分布の前記均等度は、前記輝度ヒストグラムの前記明領域のビンにわたる前記入力画像のピクセルの数の平均μ及び標準偏差νの間の比として決定される、
付記１乃至４のうちいずれか一項に記載の方法。
（付記６）
前記傾きｓと前記均等度との間の関係は、非線形である、
付記１乃至５のうちいずれか一項に記載の方法。
（付記７）
前記傾きｓは、次の：
【数１９】
2017168101.tif 000002
のように決定され、ｔ＝（μ／ν−ρ１）／（ρ２−ρ１）であり、パラメータρ１、ρ２は、パラメータｔの関数として前記傾きｓを表す前記曲線の転移点を定義する、
付記５に従属する付記６に記載の方法。
（付記８）
前記ｈｄｒ−低ｈｄｒトーンマッパー曲線を代表する情報を信号で伝える
ことを更に有する付記１乃至７のうちいずれか一項に記載の方法。
（付記９）
前記信号で伝えることは、ピクチャパラメータセット（ＰＰＳ）、シーケンスパラメータセット（ＳＰＳ）、付加拡張情報（ＳＥＩ）メッセージ、ビデオ・ユーザビリティ情報（ＶＵＩ）、コンシューマ・エレクトロニクス・アソシエイション（ＣＥＡ）メッセージ、及びヘッダのうちの少なくとも１つにおいて含まれる少なくとも１つのシンタックス要素を用いて実施される、
付記８に記載の方法。
（付記１０）
ピーク入力輝度Ｉｍａｘを有する高ダイナミックレンジ入力画像を、より低いピーク出力輝度Ｉｏｍａｘを有するより低い高ダイナミックレンジ出力画像へとトーンマッピングする装置であって、
付記１乃至９のうちいずれか一項に記載の方法を実装するよう構成される少なくとも１つのプロセッサを有する装置。
（付記１１）
付記１０に記載の装置を有する電子機器。
（付記１２）
携帯電話機、通信機器、ゲーム機、タブレット、ラップトップ、カメラ、符号化チップ、及びサーバを有するグループから選択される付記１１に記載の電子機器。
（付記１３）
コンピュータで実行される場合に、付記１乃至９のうちいずれか一項に記載の方法のステップを実行するプログラムコード命令を有するコンピュータプログラム製品。